(57)【要約】【課題】  情報処理装置に特別なデジタイザ座標校正用のアプリケーションソフトを準備することなく容易に検出座標の校正を行う。【解決手段】  座標校正モード指定に基づいて画像データを表示画面領域の所定の画素数だけ内側に表示し、その表示画像の角を指示し、座標基準データを取得し、画像データの移動量と得られた座標基準データとに基づいて座標校正データを生成する。その座標校正データを使用して情報処理装置２から出力される画像データの位置座標と座標検出部４０での検出座標とを一致させる。【選択図】      図２
2005108155.tif 000002
【特許請求の範囲】
【請求項１】
座標指示手段により指示される表示画面上の座標を検出する座標検出手段を有し、情報処理装置から出力される画像データを表示する画像表示装置であって、
前記座標検出手段の座標校正モード指定に基づいて画像データを表示画面領域の所定の画素数だけ内側に表示する画像データ移動手段と、
前記内側に表示された画像の角を前記座標指示手段で指示し、座標基準データを取得する基準データ取得手段と、
前記画像データ移動手段における移動量と前記基準データ取得手段で得られた座標基準データとに基づいて座標校正データを生成する座標校正データ生成手段とを有し、
生成した座標校正データを使用して情報処理装置から出力される画像データの位置座標と前記座標検出手段の検出座標とを一致させることを特徴とする画像表示装置。
【請求項２】
前記画像表示装置は、座標位置校正を行う座標校正モード指定手段を有することを特徴とする請求項１に記載の画像表示装置。
【請求項３】
前記座標校正モードを選択すると、座標校正指示をオンスクリーンディスプレイにより表示することを特徴とする請求項１に記載の画像表示装置。
【請求項４】
座標指示手段により指示される表示画面上の座標を検出する座標検出手段を有し、情報処理装置から出力される画像データを表示する画像表示装置であって、
前記座標検出手段の座標校正モード指定に基づいて画像データを表示画面領域の所定の画素数だけ内側に縮小表示する画像データ縮小表示手段と、
前記縮小表示された画像の角を前記座標指示手段で指示し、座標基準データを取得する基準データ取得手段と、
前記画像データ縮小表示手段における移動量及び縮小倍率と前記基準データ取得手段で得られた座標基準データとに基づいて座標校正データを生成する座標校正データ生成手段とを有し、
生成した座標校正データを使用して情報処理装置から出力される画像データの位置座標と前記座標検出手段の検出座標とを一致させることを特徴とする画像表示装置。
【請求項５】
前記座標校正モードにおいて、情報処理装置からの画像データの表示位置を移動した場合、該画像データの空白領域を該画像データと補色の関係にある色表示とすることを特徴とする請求項１又は請求項４に記載の画像表示装置。
【請求項６】
座標指示手段により指示される表示画面上の座標を検出する座標検出手段を有し、情報処理装置から出力される画像データを表示する画像表示装置における座標検出手段の座標校正方法であって、
前記座標検出手段の座標校正モード指定に基づいて画像データを表示画面領域の所定の画素数だけ内側に表示する画像データ移動工程と、
前記内側に表示された画像の角を前記座標指示手段で指示し、座標基準データを取得する基準データ取得工程と、
前記画像データ移動工程における移動量と前記基準データ取得工程で得られた座標基準データとに基づいて座標校正データを生成する座標校正データ生成工程とを有し、
生成した座標校正データを使用して情報処理装置から出力される画像データの位置座標と前記座標検出手段の検出座標とを一致させることを特徴とする座標校正方法。
【請求項７】
座標指示手段により指示される表示画面上の座標を検出する座標検出手段を有し、情報処理装置から出力される画像データを表示する画像表示装置における座標検出手段の座標校正方法であって、
前記座標検出手段の座標校正モード指定に基づいて画像データを表示画面領域の所定の画素数だけ内側に縮小表示する画像データ縮小表示工程と、
前記縮小表示された画像の角を前記座標指示手段で指示し、座標基準データを取得する基準データ取得工程と、
前記画像データ縮小表示工程における移動量及び縮小倍率と前記基準データ取得工程で得られた座標基準データとに基づいて座標校正データを生成する座標校正データ生成工程とを有し、
生成した座標校正データを使用して情報処理装置から出力される画像データの位置座標と前記座標検出手段の検出座標とを一致させることを特徴とする座標校正方法。
【請求項８】
コンピュータを請求項１又は４に記載の画像表示装置の各手段として機能させるためのプログラム。
【請求項９】
請求項８に記載のプログラムを記録したコンピュータ読み取り可能な記録媒体。
【発明の詳細な説明】
【技術分野】
【０００１】
本発明は、情報処理装置から出力される画像データを表示する画像表示装置が表示画面上に備える座標検出手段の座標を校正する技術に関する。
【背景技術】
【０００２】
近年、パーソナルコンピュータ（ＰＣ）における種々のアプリケーションソフトを利用して作成した文書や表、或いはプレゼンテーションと言った様々なデータを、会議やプレゼンテーションなどの場において、ディスプレイを利用して第三者に見せる機会が増加してきている。この場合、ＰＣのビデオ出力端子にディスプレイを接続し、そのＰＣで生成された画像データをディスプレイの画面サイズ一杯に表示する。
【０００３】
また、表示画面上の座標を指やペン等の指示手段で直接指示可能なデジタイザを備え、ポインティング手段としてＰＣのマウスと同様の機能を備えるディスプレイがある。そのデジタイザとしては、装置の表示画面内部に圧力センサーを備えてペンなどが触れたときの圧力を検出する方式、磁界を発生するペンを使用してその磁界を表示画面内部のセンサーにより検出する電磁誘導方式、超音波発信子と超音波センサーを表示画面の枠部分などに配置して画面上の物体の位置を検出する超音波表面弾性波方式、或いは赤外線を発信するペンを使用してその赤外線を表示装置内部のセンサーにより受信する赤外線方式、など様々な方式が提案されている。
【０００４】
いずれの方式であっても指示手段で、表示画面上を直接指示することにより座標情報をＰＣに与えるため、ＰＣの操作を直感的に行うことができる。
【０００５】
ここで、ディスプレイに備えられている座標検出手段を使用して、ディスプレイに接続されたＰＣに対して座標情報を受け渡すシステムの構成及び動作について説明する。
【０００６】
ディスプレイとＰＣの間は、座標情報の送受信を行うインタフェース・ケーブルにより接続する。インタフェースの種類は、マウス接続に使用されるシリアルインタフェース、ＰＳ／２インタフェース、或いはＵＳＢインタフェースなどを使用する。
【０００７】
一般には、ＰＣに、インタフェース・ケーブルを介して入力される表示画面上の座標情報をカーソル移動などに反映させるドライバソフトウェアを用意する必要があるが、デジタイザで検出したポインティング情報を、例えば米国マイクロソフト社製のＷｉｎｄｏｗｓ（登録商標）２０００のようなオペレーティングシステム（ＯＳ）が標準に備えるマウスドライバで扱うことのできる情報に変換することにより、特別なドライバソフトウェアを不要とすることができる（例えば、特許文献１参照。）。
【０００８】
ところで、表示画面上で検出される座標は、ＰＣから入力される画像データの表示位置と一対一で対応していることが前提となる。
【０００９】
そこで、従来は、ＰＣ上にデジタイザ座標校正用のアプリケーションソフトを用意しておき、ＰＣの出力画像としてディスプレイの表示画面上に図１０に示すような指示ターゲットを表示させ、その指示ターゲットを指示したときの座標を検出することにより、座標校正を行っている（例えば、特許文献２参照。）。
【００１０】
ここで、デジタイザ座標校正アプリケーションソフトは、まず、指示ターゲット５０１および５０２を、画面の左上隅を原点として、それぞれＰＣ上の座標（Ｘｐ１、Ｙｐ１）、（Ｘｐ２、Ｙｐ２）として表示する。次に、ユーザが指示手段３００（ここではペン）を用いて表示画面１００上の指示ターゲット５０１および５０２を指示する。このようにして得られた指示ターゲット５０１および５０２の検出座標がそれぞれ（Ｘｚ１、Ｙｚ１）、（Ｘｚ２、Ｙｚ２）であった場合、デジタイザ校正アプリケーションソフトは、ずれ量ΔＸ、ΔＹとずれ倍率α、βを以下の式で計算する。
【００１１】
ΔＸ＝Ｘｚ１−Ｘｐ１
ΔＹ＝Ｙｚ１−Ｙｐ１
α＝（Ｘｐ１−Ｘｐ２）／（Ｘｚ１−Ｘｚ２）
β＝（Ｙｐ１−Ｙｐ２）／（Ｙｚ１−Ｙｚ２）
そして、そのずれ量とずれ倍率とをデジタイザに戻すことにより、デジタイザにおける検出座標は、
Ｘｐ＝αＸｚ−ΔＸ
Ｙｐ＝βＹｚ−ΔＹ
として、ＰＣ上の表示座標と一致するように校正される。
【特許文献１】特開平１１−８５３９７号公報
【特許文献２】特開平１１−２１２７１３号公報
【発明の開示】
【発明が解決しようとする課題】
【００１２】
しかしながら、上記特許文献２に記載されているデジタイザ座標の校正方法では、デジタイザを備えるディスプレイに不特定多数のＰＣが接続されるような場合は、それぞれのＰＣにデジタイザ校正アプリケーションソフトをインストールしておかなければならないという不都合があった。
【００１３】
特に、上記特許文献１に記載されているデジタイザの座標情報をＯＳが標準に備えるマウスドライバで扱うことのできる情報に変換することにより、特別なドライバソフトウェアを不要としたシステムの場合、座標校正のためにデジタイザ校正アプリケーションソフトを必要とすることは、デジタイザ用の特別なドライバソフトウェアを不要とした利点を相殺してしまうという問題があった。
【００１４】
これに対して、デジタイザ校正アプリケーションソフトを不要とするため、ディスプレイのオンスクリーンディスプレイ（ＯＳＤ）機能により指示ターゲットを表示して座標を校正する方法が考えられる。
【００１５】
この方法では、例えば図１０に示すような指示ターゲットをディスプレイのＯＳＤ機能によって表示するので、ディスプレイの表示領域に対するデジタイザの座標校正は可能であるが、ディスプレイの表示領域に対してＰＣの入力画面位置がずれていた場合や、ディスプレイの表示領域に対してＰＣ入力画面がフルサイズで表示されていない場合などに、ＰＣから入力される画像データとの間で座標の対応が取れないという不都合がある。
【００１６】
本発明は上記問題点に鑑みてなされたもので、その目的は、座標検出手段を備える画像表示装置において、ＰＣに特別な座標検出手段の座標校正アプリケーションを必要とせずに、ＰＣ入力画像データに対する座標検出手段の座標校正が行える画像表示装置及び座標検出手段の座標校正方法を提供することにある。
【課題を解決するための手段】
【００１７】
本発明は、座標指示手段により指示される表示画面上の座標を検出する座標検出手段を有し、情報処理装置から出力される画像データを表示する画像表示装置であって、前記座標検出手段の座標校正モード指定に基づいて画像データを表示画面領域の所定の画素数だけ内側に表示する画像データ移動手段と、前記内側に表示された画像の角を前記座標指示手段で指示し、座標基準データを取得する基準データ取得手段と、前記画像データ移動手段における移動量と前記基準データ取得手段で得られた座標基準データとに基づいて座標校正データを生成する座標校正データ生成手段とを有し、生成した座標校正データを使用して情報処理装置から出力される画像データの位置座標と前記座標検出手段の検出座標とを一致させることを特徴とする。
【００１８】
また本発明は、座標指示手段により指示される表示画面上の座標を検出する座標検出手段を有し、情報処理装置から出力される画像データを表示する画像表示装置であって、前記座標検出手段の座標校正モード指定に基づいて画像データを表示画面領域の所定の画素数だけ内側に縮小表示する画像データ縮小表示手段と、前記縮小表示された画像の角を前記座標指示手段で指示し、座標基準データを取得する基準データ取得手段と、前記画像データ縮小表示手段における移動量及び縮小倍率と前記基準データ取得手段で得られた座標基準データとに基づいて座標校正データを生成する座標校正データ生成手段とを有し、生成した座標校正データを使用して情報処理装置から出力される画像データの位置座標と前記座標検出手段の検出座標とを一致させることを特徴とする。
【００１９】
更に本発明は、座標指示手段により指示される表示画面上の座標を検出する座標検出手段を有し、情報処理装置から出力される画像データを表示する画像表示装置における座標検出手段の座標校正方法であって、前記座標検出手段の座標校正モード指定に基づいて画像データを表示画面領域の所定の画素数だけ内側に表示する画像データ移動工程と、前記内側に表示された画像の角を前記座標指示手段で指示し、座標基準データを取得する基準データ取得工程と、前記画像データ移動工程における移動量と前記基準データ取得工程で得られた座標基準データとに基づいて座標校正データを生成する座標校正データ生成工程とを有し、生成した座標校正データを使用して情報処理装置から出力される画像データの位置座標と前記座標検出手段の検出座標とを一致させることを特徴とする。
【００２０】
更に本発明は、座標指示手段により指示される表示画面上の座標を検出する座標検出手段を有し、情報処理装置から出力される画像データを表示する画像表示装置における座標検出手段の座標校正方法であって、前記座標検出手段の座標校正モード指定に基づいて画像データを表示画面領域の所定の画素数だけ内側に縮小表示する画像データ縮小表示工程と、前記縮小表示された画像の角を前記座標指示手段で指示し、座標基準データを取得する基準データ取得工程と、前記画像データ縮小表示工程における移動量及び縮小倍率と前記基準データ取得工程で得られた座標基準データとに基づいて座標校正データを生成する座標校正データ生成工程とを有し、生成した座標校正データを使用して情報処理装置から出力される画像データの位置座標と前記座標検出手段の検出座標とを一致させることを特徴とする。
【発明の効果】
【００２１】
本発明によれば、情報処理装置に特別なデジタイザ座標校正用のアプリケーションソフトを準備することなく容易に検出座標の校正を行うことができる。従って、不特定の情報処理装置において、座標情報を送受信する信号ケーブルを接続するだけで座標校正を可能としたデジタイザ機能を提供することができる。
【発明を実施するための最良の形態】
【００２２】
以下、図面を参照しながら発明を実施するための最良の形態について詳細に説明する。
【実施例１】
【００２３】
図２は、実施例における画像表示装置の概略構成の一例を示すブロック図である。図２において、１は画像表示装置、２は情報処理装置としてのパーソナルコンピュータ（ＰＣ）である。この画像表示装置１は、画像表示ブロック１０と、ＵＳＢコントローラ２０と、システムコントローラ３０と、座標検出部４０と、キー入力部５０とから構成される。また、画像表示ブロック１０の内部は、画像処理部１１と、表示デバイス１２と、ＯＳＤ（On Screen Display）生成部１３とから構成される。
【００２４】
以上の構成において、ＰＣ２から出力される画像信号は画像処理部１１に入力される。画像処理部１１では、不図示の画像メモリへの入力画像信号の取り込み位置の最適化や、入力画像信号の解像度を表示デバイス１２が持つ解像度へ最適化するなどの処理を行い、表示デバイス１２へ出力する。尚、上述の入力画像信号の取り込み位置の最適化や、表示デバイス１２が持つ解像度への最適化などの処理に関する制御は後述するシステムコントローラ３０が行う。
【００２５】
表示デバイス１２は画像処理部１１で処理された画像信号を表示する。ＯＳＤ生成部１３は、システムコントローラ３０からの制御により所望の画像を生成し、画像処理部１１へ出力し、ＰＣ２からの入力画像信号と合成して表示させるものである。システムコントローラ３０は、座標検出部４０およびキー入力部５０からの信号が入力され、それぞれの機能に対応した制御を行う。
【００２６】
また、ＵＳＢコントローラ２０は、システムコントローラ３０の制御により座標検出部４０で検出される座標情報をＰＣ２へ出力する。一方、ＰＣ２では、受け取った座標情報をマウスによる座標情報と同様に扱い、ＰＣ２上で動作するアプリケーションソフトなどの操作を可能とする。
【００２７】
図２に示す構成において、例えば、キー入力部５０に座標検出部４０の座標校正モードボタンを備え、その座標校正モードボタンを押すことにより、座標検出部４０の座標校正処理を開始する。
【００２８】
ここで、画面の表示位置を右下及び左上に移動して基準座標を取得し、その基準座標に基づいて座標校正を行う実施例１における座標校正処理について説明する。
【００２９】
図１は、実施例１における座標校正処理を示すフローチャートである。まず、ステップＳ１０１において、この座標校正処理の開始か否かを判断する。座標校正モードボタンが押されるまでは処理の待ち受け状態である。そして、図３に示すように、ＰＣ２から入力される画像データの表示２００は、画像表示装置の表示領域１００と一致して表示される。ステップＳ１０１で、座標校正モードボタンが押され、この座標校正処理が開始されたと判断するとステップＳ２０１へ進み、ＰＣ２から入力される画像データの表示２００の表示位置をＸｄ０＋ΔＸｄ、Ｙｄ０＋ΔＹｄとする。
【００３０】
尚、Ｘｄ０およびＹｄ０はＰＣ２からの画像データ表示２００の画像表示装置における初期表示位置、ΔＸｄおよびΔＹｄは予め設定する表示移動画素数である。この表示位置の移動は、図２に示す概略構成の一例において画像処理部１１の不図示の画像メモリへの取り込み位置、或いは読出し位置を制御することで行うことができる。
【００３１】
図４および図５は、表示位置を移動した表示状態を示す図である。図４に示す例では、画像表示装置の表示領域１００に対してＰＣ２の画像データ表示２００が、右下にずれた状態となることを示している。そして、図４に示すハッチング部２０１は、ＰＣ２の画像データ表示２００の表示されない部分である。
【００３２】
ここで、画像データの表示を図４に示す状態に移動した後、ステップＳ２０２において、基準座標を取得するための指示操作を促すＯＳＤ表示を行う。このＯＳＤ表示は、図２に示す概略構成のＯＳＤ生成部１３によって生成され表示画面に表示される。ここでは、例えば『入力画面の左上角をポイントして下さい。』と表示し、ステップＳ３０１へ進む。
【００３３】
ステップＳ３０１は、ユーザによる指示操作の待ち受けであり、指示操作がなされるとステップＳ３０２へ進む。この指示操作により、入力画面の左上角はＰＣ２の画像データの原点に対応する。従って、座標（Ｘｚ１、Ｙｚ１）をＰＣ２の画像データの原点に対応する第一基準座標データとして格納し、ステップＳ４０１へ進む。
【００３４】
次に、ステップＳ４０１において、ＰＣ２からの画像データの表示２００の表示位置をＸｄ０−ΔＸｄ、Ｙｄ０−ΔＹｄとする。
【００３５】
図６および図７は、表示位置を移動した表示状態を示す図である。図６に示す例では、画像表示装置の表示領域１００に対してＰＣ２の画像データ表示２００が、左上にずれた状態となることを示している。そして、図６に示すハッチング部２０１は、ＰＣ２の画像データ表示２００の表示されない部分である。
【００３６】
ここで、画像データの表示を図６に示す状態に移動した後、基準座標を取得するための指示操作を促すＯＳＤ表示を行う。ここでは、例えば『入力画面の右下角をポイントして下さい。』と表示し、ステップＳ５０１へ進む。
【００３７】
ステップＳ５０１は、ユーザによる指示操作の待ち受けであり、指示操作がなされるとステップＳ５０２へ進む。この指示操作により、入力画面の右下角はＰＣ２の画像データの終点、例えばＰＣ２の画像データが１０２４×７６８の解像度を有する場合であれば、座標（１０２３、７６７）に対応する。従って、座標（Ｘｚ２、Ｙｚ２）をＰＣ２の画像データの終点に対応する第二基準座標データとして格納し、ステップＳ６０１へ進む。
【００３８】
次に、ステップＳ６０１において、ステップＳ３０２とステップＳ５０２とで取得した基準座標データを用いて座標校正データを生成する。ところで、上述した座標検出部４０により検出される座標（Ｘｚ、Ｙｚ）とＰＣ２上の座標（Ｘｐ、Ｙｐ）は、以下のような関係となる。
【００３９】
Ｘｐ＝αＸｚ−ΔＸ
Ｙｐ＝βＹｚ−ΔＹ
ここで、α、β、ΔＸ、ΔＹはそれぞれＸ座標の校正倍率、Ｙ座標の校正倍率、Ｘ座標のオフセット、Ｙ座標のオフセットである。
【００４０】
従って、校正データとして、α、β、ΔＸ、ΔＹの４種類を生成するが、それらの値は第一と第二基準座標を用いて次式により計算される。
【００４１】
ΔＸ＝Ｘｚ１−ΔＸｄ
ΔＹ＝Ｙｚ１−ΔＹｄ
α＝（Ｈ−１）／（Ｘｚ２−Ｘｚ１＋２ΔＸｄ）
β＝（Ｖ−１）／（Ｙｚ２−Ｙｚ１＋２ΔＹｄ）
ここで、ＨとＶは、それぞれＰＣ画像データのＸ（水平）方向画素数、Ｙ（垂直）方向画素数である。
【００４２】
このステップＳ６０１で校正データを生成した後、ステップＳ７０１へ進み、ＰＣ画像データの表示位置を初期の（Ｘｄ０、Ｙｄ０）へ戻し、校正処理を終了する。
【００４３】
以後、座標検出部４０で検出される座標を校正データを用いてＰＣ画像データ上の座標に校正した後、ＰＣへポインティングデータとして出力する。
【００４４】
尚、実施例１では、座標校正モードボタンをキー入力部５０に備えているが、座標校正モードの開始手段はこれに限られるものではなく、例えば画像表示装置の各種調整を行うメニューモードの一項目としても良い。
【００４５】
実施例１によれば、ＰＣに特別な座標校正アプリケーションを準備することなく容易に座標検出部の座標校正を行うことができる。
【実施例２】
【００４６】
次に、図面を参照しながら本発明に係る実施例２について詳細に説明する。実施例２は、画像表示装置の概略構成は実施例１と同一であるが、図９に示すように座標校正処理時に画面の表示位置を移動すると共に表示サイズを縮小することで画面全体をディスプレイの表示領域の内側に表示するものである。
【００４７】
ここで、画面の表示位置を移動すると共に、表示サイズを縮小して基準座標を取得し、その基準座標に基づいて座標校正を行う実施例２における座標校正処理について説明する。
【００４８】
図８は、実施例２における座標校正処理を示すフローチャートである。まず、ステップＳ１０２において、この座標校正処理の開始か否かを判断する。座標校正モードボタンが押されるまでは処理の待ち受け状態である。そして、図３に示すように、ＰＣ２から入力される画像データの表示２００は、画像表示装置の表示領域１００と一致して表示される。ステップＳ１０２で、座標校正モードボタンが押され、この座標校正処理が開始されたと判断するとステップＳ２０４へ進み、ＰＣ２から入力される画像データの表示２００の表示位置をＸｄ０＋ΔＸｄ、Ｙｄ０＋ΔＹｄとし、且つ１／Ｎの倍率で縮小表示する。
【００４９】
尚、Ｘｄ０およびＹｄ０はＰＣ２からの画像データ表示２００の画像表示装置における初期表示位置、ΔＸｄおよびΔＹｄは予め設定する表示移動画素数である。この表示位置の移動および画像の縮小は、図２で示す概略構成の一例において画像処理部１１で行うものである。
【００５０】
ここで、画像データの表示を図９に示す状態に移動すると共に縮小した後、ステップＳ２０５において、基準座標を取得するための指示操作を促すＯＳＤ表示を行う。このＯＳＤ表示は、図２に示す概略構成のＯＳＤ生成部１３によって生成され表示画面に表示される。ここでは、例えば『入力画面の左上角をポイントして下さい。』と表示し、ステップＳ３０３へ進む。
【００５１】
ステップＳ３０３は、ユーザによる指示操作の待ち受けであり、指示操作がなされるとステップＳ３０４へ進む。この指示操作により、入力画面の左上角はＰＣ２の画像データの原点に対応する。従って、座標（Ｘｚ１、Ｙｚ１）をＰＣ２の画像データの原点に対応する第一基準座標データとして格納し、ステップＳ４０３へ進む。
【００５２】
次に、ステップＳ４０３において、基準座標を取得するための指示操作を促すＯＳＤ表示を行う。ここでは、例えば『入力画面の右下角をポイントして下さい。』と表示し、ステップＳ５０３へ進む。
【００５３】
ステップＳ５０３は、ユーザによる指示操作の待ち受けであり、指示操作がなされるとステップＳ５０４へ進む。この指示操作により、入力画面の右下角はＰＣ２の画像データの終点に対応する。従って、座標（Ｘｚ２、Ｙｚ２）をＰＣ２の画像データの終点に対応する第二基準座標データとして格納し、ステップＳ６０２へ進む。
【００５４】
次に、ステップＳ６０２では、ステップＳ３０４とステップＳ５０４とで取得した基準座標データを用いて以下の座標校正データを生成する。
【００５５】
ΔＸ＝Ｘｚ１−ΔＸｄ
ΔＹ＝Ｙｚ１−ΔＹｄ
α＝（Ｈ−１）／Ｎ（Ｘｚ２−Ｘｚ１）
β＝（Ｖ−１）／Ｎ（Ｙｚ２−Ｙｚ１）
このステップＳ６０２で校正データを生成した後、ステップＳ７０２へ進み、ＰＣ画像データの表示を初期状態へ戻し、校正処理を終了する。
【００５６】
以後、座標検出部４０で検出される座標を校正データを用いてＰＣ画像データ上の座標に校正した後、ＰＣへポインティングデータとして出力する。
【００５７】
実施例２によれば、一種類の画面で座標校正を行うことができる。
【実施例３】
【００５８】
次に、図面を参照しながら本発明に係る実施例３について詳細に説明する。実施例３では特に図示しないが、図２の概略構成における画像処理部１１においてＰＣ画像データを構成するＲ、Ｇ、Ｂそれぞれの画面全体に渡る平均値を求める平均値検出部を備え、座標校正処理において画像の表示位置を移動、或いはサイズを縮小した時の画像データ空白領域に画像データと補色の関係となる色を設定する。
【００５９】
つまり、画像データの各色が８ビットデータであり、それぞれの平均値がＲａｖｅ、Ｇａｖｅ、Ｂａｖｅであったとすると、画像データの空白領域の色を以下のように設定する。
【００６０】
Ｒ＝２５５−Ｒａｖｅ
Ｇ＝２５５−Ｇａｖｅ
Ｂ＝２５５−Ｂａｖｅ
尚、ここでは各色の平均値を画面全体で取るとしたが、画像データの角領域に限定しても良い。
【００６１】
実施例３によれば、画像データの角と空白領域の境界とが鮮明となり、座標校正時のポインティング操作を容易とすることができる。
【００６２】
尚、本発明は複数の機器（例えば、ホストコンピュータ，インタフェース機器，リーダ，プリンタなど）から構成されるシステムに適用しても、１つの機器からなる装置（例えば、複写機，ファクシミリ装置など）に適用しても良い。
【００６３】
また、本発明の目的は前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行することによっても、達成されることは言うまでもない。
【００６４】
この場合、記録媒体から読出されたプログラムコード自体が前述した実施形態の機能を実現することになり、そのプログラムコードを記憶した記録媒体は本発明を構成することになる。
【００６５】
このプログラムコードを供給するための記録媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００６６】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００６７】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【図面の簡単な説明】
【００６８】
【図１】実施例１における座標校正処理を示すフローチャートである。
【図２】実施例における画像表示装置の概略構成の一例を示すブロック図である。
【図３】ＰＣ２からの画像データの表示２００と表示領域１００を示す図である。
【図４】画像表示装置の表示領域に対する画像データを右下へ移動した表示状態を示す図である。
【図５】画像表示装置の表示領域に対する画像データを右下へ移動した表示状態を示す拡大図である。
【図６】画像表示装置の表示領域に対する画像データを左上へ移動した表示状態を示す図である。
【図７】画像表示装置の表示領域に対する画像データを左上へ移動した表示状態を示す拡大図である。
【図８】実施例２における座標校正処理を示すフローチャートである。
【図９】画像表示装置の表示領域に対する画像データの縮小状態を示す図である。
【図１０】従来の座標校正画面を説明する図である。
【符号の説明】
【００６９】
１  画像表示装置
２  情報処理装置
１０  画像表示ブロック
１１  画像処理部
１２  表示デバイス
１３  ＯＳＤ表示部
２０  ＵＳＢコントローラ
３０  システムコントローラ
４０  座標検出部
５０  キー入力部
【図１】
2005108155.tif 000003
【図２】
2005108155.tif 000004
【図３】
2005108155.tif 000005
【図４】
2005108155.tif 000006
【図５】
2005108155.tif 000007
【図６】
2005108155.tif 000008
【図７】
2005108155.tif 000009
【図８】
2005108155.tif 000010
【図９】
2005108155.tif 000011
【図１０】
2005108155.tif 000012